(57)【特許請求の範囲】
【請求項１】
建物開口部において外窓の内側に配置され、枠体内に内障子と外障子とを引き違い状に納めてなり、該内障子と外障子は樹脂からなる上下框と左右の縦框とを方形状に框組みした框体を有してなる内窓において、
前記上下框と左右の縦框はいずれも両端面が略面一状とされ、前記上框は左右の縦框と左右いずれも同形状からなる上連結ブロックにより、前記下框は左右の縦框と左右いずれも同形状からなる下連結ブロックにより、それぞれ連結され、
前記縦框のうち内召合せ框と外召合せ框は対向する框との間の気密性を確保する気密ラインを長手方向略全長に渡って備え、各召合せ框に取付けた前記上連結ブロック間の隙間を塞ぐ隙間塞ぎ材を各上連結ブロックまたはいずれか一方の上連結ブロックに取付けて前記内召合せ框と外召合せ框が備える気密ラインと略連続状としてなることを特徴とする内窓。
【請求項２】
前記隙間塞ぎ材は煙返し部または気密部の上端部に取付ける脚部を備えてなることを特徴とする請求項１記載の内窓。
【請求項３】
前記隙間塞ぎ材は前記上連結ブロックの側面に取付ける爪部を備えてなることを特徴とする請求項１または２記載の内窓。
【請求項４】
前記内召合せ框と外召合せ框が備える気密ラインは煙返し部または相手側の框に向かって突出する気密部により構成されることを特徴とする請求項１〜３のいずれか１項に記載の内窓。
【発明の詳細な説明】
【技術分野】
【０００１】
本発明は、建物開口部において外窓の内側に設けられる内窓に関し、特に樹脂材からなる上下框及び縦框を連結ブロックで連結してなる框体を枠体内に納めた内窓に関する。
【背景技術】
【０００２】
従来から、建物開口部に取付けられる外窓の内側に内窓を設けて二重構造とし、防音性や防犯性及び断熱性の向上を図ったものが知られている。このような内窓においては、枠体及びその内部に納められる障子共に樹脂材によって形成されることが多い。枠体については、上下枠及び左右の縦枠を所定の長さに切断加工したものを連結して方形状に枠組みする。一方、枠体内部に納められる框体については、上下框及び左右の縦框の各端部に切欠加工を施し、縦框に上下框の端部をそれぞれ飲み込ませて連結して方形状に框組みするのが一般的である。このような連結方法は内窓に限らず、一般的なサッシの障子で広く用いられているものであり、連結強度を充分に確保することができる。
【０００３】
一方で、框を飲み込ませて連結する場合には、各框の端部に複雑な切欠加工を施す必要がある。このため、窓の取付現場において寸法の調整などを行うことが困難である。特に、内窓は後付けで取付けられることが多く、取付現場において建物開口部の状態に合わせて框を切断し寸法調整を行う必要性が高い。
【０００４】
寸法調整を容易に行うためには、框の端部が切断加工のみの状態に近いことが望ましい。この場合には框を飲み込ませて連結することはできないので、框同士を連結部品を介して連結することが行われる。このような方法は主に、襖や和障子において用いられるものである。このような連結構造を有した框体としては例えば特許文献１に挙げるようなものがある。
【特許文献１】特開平１０−２３８２２６号公報
【発明の開示】
【発明が解決しようとする課題】
【０００５】
しかし、框の連結部分に連結部品を設けるのは、前述のように主に襖や和障子においてであり、これらは基本的に高い気密性が求められないため、特に障子の召合せ部における気密性が考慮されていない。また、気密性が求められる場合には、召合せ部における気密性確保のため、框体の枠体側と召合せ側で連結部品の形状を変える必要があり、上框と縦框との連結部品、及び下框と縦框との連結部品がそれぞれ２種類ずつ、合計で４種類の連結部品が必要となる。このように部品の種類が多くなることで施工が煩雑になると共に、部品の管理及び製造におけるコストも上昇する。
【０００６】
本発明は、上記課題を解決すべくなされたものであり、框の端部加工を最低限に抑えつつ少ない種類の連結部品で召合せ部の気密性を確保することのできる框体を備えた内窓を提供することを目的とする。
【課題を解決するための手段】
【０００７】
上記課題を解決するため、本発明に係る内窓は、建物開口部において外窓の内側に配置され、枠体内に内障子と外障子とを引き違い状に納めてなり、該内障子と外障子は樹脂からなる上下框と左右の縦框とを方形状に框組みした框体を有してなる内窓において、
前記上下框と左右の縦框はいずれも両端面が略面一状とされ、前記上框は左右の縦框と左右いずれも同形状からなる上連結ブロックにより、前記下框は左右の縦框と左右いずれも同形状からなる下連結ブロックにより、それぞれ連結され、
前記縦框のうち内召合せ框と外召合せ框は対向する框との間の気密性を確保する気密ラインを長手方向略全長に渡って備え、各召合せ框に取付けた前記上連結ブロック間の隙間を塞ぐ隙間塞ぎ材を各上連結ブロックまたはいずれか一方の上連結ブロックに取付けて前記内召合せ框と外召合せ框が備える気密ラインと略連続状としてなることを特徴として構成されている。
【０００８】
また、本発明に係る内窓は、前記隙間塞ぎ材は煙返し部または気密部の上端部に取付ける脚部を備えてなることを特徴として構成されている。
【０００９】
さらに、本発明に係る内窓は、前記隙間塞ぎ材は前記上連結ブロックの側面に取付ける爪部を備えてなることを特徴として構成されている。
【００１０】
さらにまた、本発明に係る内窓は、前記内召合せ框と外召合せ框が備える気密ラインは煙返し部または相手側の框に向かって突出する気密部により構成されることを特徴として構成されている。
【発明の効果】
【００１１】
本発明に係る内窓によれば、上下框と左右の縦框はいずれも両端面が略面一状とされ、上框と左右の縦框は左右同形状の上連結ブロックにより、下框と左右の縦框は左右同形状の下連結ブロックにより連結され、内召合せ框と外召合せ框は対向する框との間の気密性を確保する気密ラインを長手方向略全長に渡って備え、内召合せ框及び外召合せ框に取付けた上連結ブロック間の隙間を塞ぐ隙間塞ぎ材を各上連結ブロックまたはいずれか一方の上連結ブロックに取付けてなることにより、２種類の連結ブロックで框材を連結しさらに隙間塞ぎ部材で召合せ部における気密性も確保できるので、框材の端部加工を最低限にしつつ少ない種類の部品で気密性を確保した框体を構成することができる。
【００１２】
また、本発明に係る内窓によれば、隙間塞ぎ材は煙返し部または気密部の上端部に取付ける脚部を備えてなることにより、隙間塞ぎ材を召合せ框に対して煙返し部または気密部と略連続状となるようにしつつ固定することができる。
【００１３】
さらに、本発明に係る内窓によれば、隙間塞ぎ材は上連結ブロックの側面に取付ける爪部を備えてなることにより、隙間塞ぎ材を上連結ブロックに対して容易に取付固定することができる。
【００１４】
さらにまた、本発明に係る内窓によれば、内召合せ框と外召合せ框が備える気密ラインは煙返し部または相手側の框に向かって突出する気密部により構成されることにより、召合せ框間における長手方向の気密を確実になすことができる。
【発明を実施するための最良の形態】
【００１５】
本発明の実施形態について、図面に沿って詳細に説明する。図１は本実施形態における内窓を有したサッシ全体の縦断面図、図２はサッシ全体の横断面図である。サッシ全体の構成は、建物開口部に外窓５０を取付け、その室内側に内窓１を設けて二重構造としてなるものである。
【００１６】
外窓５０は、方形状に枠組みされた外側枠体５１内に、外側内障子５２と外側外障子５３を引き違い状に納めてなるものであり、一般的なサッシの構成と同様のものである。外窓５０の室内側には上辺及び縦辺に額縁材５が、下辺には床材６がそれぞれ設けられており、額縁材５の室内側端部付近に内窓１が取付けられる。
【００１７】
内窓１は、額縁材５及び床材６に取付けた枠体２内に内障子３と外障子４を引き違い状に納めてなるものである。枠体２は、いずれも樹脂材からなる上枠１０と下枠１１及び左右の縦枠１２、１２を方形状に枠組みして構成される。また、内障子３及び外障子４は、いずれも樹脂材からなる上框２０と下框２１、枠側に配置される縦框である枠側縦框２２及び召合せ側に配置される縦框である召合せ框２３を方形状に框組みしてなる框体７にガラス体８を納めて構成され、枠体２内において長手方向に走行自在となるように納められる。
【００１８】
図３には、内窓１の縦断面図における上部拡大図を示している。この図に示すように、上枠１０は室内端部に室内側片１０ａを、室外端部に室外側片１０ｄをそれぞれ備え、さらにそれらの間には内レール１０ｂ及び外レール１０ｃが突出し、それぞれ内障子３及び外障子４を案内する。
【００１９】
内障子３の上框２０は、上面に案内溝２０ａが形成され、これが上枠１０の内レール１０ｂに案内される。また、上框２０の下面にはガラス挿入溝２０ｂが形成され、さらにガラス挿入溝２０ｂの開口近傍にはそれぞれ２つずつの軟質樹脂からなるヒレ部２０ｃが一体的に形成されている。ガラス体８はガラス挿入溝２０ｂ内に納められ、ヒレ部２０ｃによって室内外面をそれぞれ押圧され固定される。
【００２０】
外障子４の上框２０も内障子３の上框２０と同様の構成からなり、上面の案内溝２０ａが上枠１０の外レール１０ｃに案内され、下面のガラス挿入溝２０ｂにガラス体８を納めてヒレ部２０ｃによって両面から押圧固定している。
【００２１】
内障子３と外障子４の召合せ部分における上枠１０の室内外方向中央部には、上ブロック材１０ｅが設けられる。これは後述する隙間塞ぎ材４０と共に召合せ部における気密性を確保するために設けられている。
【００２２】
図４には、内窓１の縦断面図における下部拡大図を示している。この図に示すように、下枠１１は室内端部に室内側片１１ａを、室外端部に室外側片１１ｄをそれぞれ備え、さらにそれらの間には内レール１１ｂ及び外レール１１ｃが上面から突出し、それぞれ内障子３及び外障子４が走行自在となるように案内する。
【００２３】
内障子３の下框２１には、下部に戸車２１ａが設けられ、この戸車２１ａが下枠１１の内レール１１ｂに載置されて内障子３を長手方向に走行自在とする。また、下框２１の上面にはガラス挿入溝２１ｂが形成されると共に、その開口近傍にはそれぞれ２つずつの軟質樹脂からなるヒレ部２１ｃが一体的に形成されている。ガラス体８はガラス挿入溝２１ｂ内に納められ、ヒレ部２１ｃによって室内外面をそれぞれ押圧され固定される。
【００２４】
外障子４の下框２１も内障子３の下框２１と同様の構成からなり、下部に戸車２１ａが、上面にガラス挿入溝２１ｂ及びヒレ部２０ｃが形成され、戸車２１ａは下枠１１の外レール１１ｃに載置されて走行自在とされ、ガラス挿入溝２１ｂにはガラス体８が納められてヒレ部２１ｃによって両面から押圧固定する。
【００２５】
内障子３と外障子４の召合せ部分における下枠１１の室内外方向中央部には、下ブロック材１１ｅが設けられる。この下ブロック材１１ｅによって内窓１下部における召合せ部分の気密性を確保している。
【００２６】
図５には、内窓１の横断面図における召合せ部拡大図を示している。この図に示すように、内障子３の召合せ框２３は、外周側にクレセント２３ａが設けられ、内周側にはガラス挿入溝２３ｂが形成される。ガラス挿入溝２３ｂには開口部近傍に軟質樹脂からなるヒレ部２３ｃが２つずつ一体的に形成されており、ガラス体８はガラス挿入溝２３ｂに納められてヒレ部２３ｃにより両面から押圧固定される。外障子４の召合せ框２３は、外周側には何も設けられておらず、内周側にはガラス挿入溝２３ｂ及びヒレ部２３ｃが形成されており、内障子３の召合せ框２３と同様のガラス固定構造を有している。
【００２７】
内障子３の召合せ框２３の外面には、対向する外障子４の召合せ框２３の内面に向かって略Ｌ字状に突出する突起部２３ｄが、長手方向略全長に渡って内周側と外周側の両方にそれぞれ形成されている。また、外障子４の召合せ框２３の内面にも、対向する内障子３の召合せ框２３の外面に向かって略Ｌ字状に突出する突起部２３ｄが、長手方向略全長に渡って内周側と外周側の両方にそれぞれ形成されている。
【００２８】
突起部２３ｄの角部には、対向する突起部２３ｄに向かってさらに突出する気密材２３ｅが形成されている。気密材２３ｅは、軟質樹脂からなり召合せ框２３と共に一体的に形成される。これら突起部２３ｄと気密材２３ｅによって互いに相手側の框に向かって突出する気密部２３ｆが構成され、この気密部２３ｆによって、内障子３と外障子４の召合せ部における気密性を召合せ框２３間の長手方向略全長に渡って確保する気密ラインとしている。
【００２９】
図３に示すように、召合せ部分における気密部２３ｆは、上框２０の上下方向中間位置まで延びており、上ブロック材１０ｅとの間には気密ラインに空白が生じる。このため後述するように隙間塞ぎ材４０によって気密ラインが連続状となるようにしている。一方、図４に示すように、召合せ部分における気密部２３ｆは、下端部においては下ブロック材１１ｅ近傍まで延びており、したがってこの部分においては他の部材を設けることなく気密ラインの連続性が確保されている。
【００３０】
次に、框体７の連結構造について説明する。図６には、内障子３を構成する框体７の分解斜視図を示している。この図に示すように、各框材は切断加工により端面を概ね面一状とされ、上連結ブロック３０と下連結ブロック３５の２種類の連結ブロックによって連結される。
【００３１】
上框２０は、両端面が切断加工のみによって面一状に形成される。また枠側縦框２２と召合せ框２３も、両端面が切断加工によって形成される。これらは内周面の一部に切欠きが形成されるものの、各端面は概ね面一状として形成されている。上框２０と枠側縦框２２、及び上框２０と召合せ框２３は、いずれも同じ形状からなる上連結ブロック３０によって連結される。
【００３２】
上連結ブロック３０は、基部３１の側部に上框２０の端面からその中空内部に挿入される上框連結部３２を有し、基部３１の下部に枠側縦框２２または召合せ框２３の上端面からその中空内部に挿入される縦框連結部３３を有して構成される。上連結ブロック３０の基部３１は、上框２０の上半分と略同じ断面形状を有しており、上框連結部３２を上框２０に、縦框連結部３３を枠側縦框２２または召合せ框２３に、それぞれ挿入固定することで、基部３１が枠側縦框２２の上部及び召合せ框２３の上部にそれぞれ配置される。
【００３３】
下連結ブロック３５は、基部３６の側方上部に下框２１の端面からその中空内部に挿入される下框連結部３７を有し、基部３６の上部に枠側縦框２２または召合せ框２３の下端面からその中空内部に挿入される縦框連結部３８を有して構成される。下連結ブロック３５の基部３６は、下框２１の下端部と略同じ断面形状を有しており、下框連結部３７を下框２１に、縦框連結部３８を枠側縦框２２または召合せ框２３に、それぞれ挿入固定することで、基部３６が枠側縦框２２の下部及び召合せ框２３の下部にそれぞれ配置される。
【００３４】
ここで、上框２０と召合せ框２３を連結する上連結ブロック３０の基部３６の部分は、前述のように召合せ框２３の気密部２３ｆが延びていないため、そのままでは気密ラインに空白が生じて、内窓１の召合せ部における気密性を充分に確保することができない。このため、召合せ部に設けられる上連結ブロック３０の互いに対向する面には、それぞれ隙間塞ぎ材４０が設けられる。
【００３５】
図７には、隙間塞ぎ材４０の斜視図を示している。図７（ａ）は隙間塞ぎ材４０を外側に露出する側から見た斜視図であり、図７（ｂ）は図７（ａ）と反対側から見た斜視図である。これらの図に示すように、隙間塞ぎ材４０は互いに対向する面となる平面部４１に、平面部４１とは直角をなす側面部４２が３面設けられている。また、平面部４１の裏面側には補強部４３が複数立ち上がり状に設けられている。
【００３６】
隙間塞ぎ材４０の両端下端部には、突起状の脚部４４が設けられており、この脚部４４は召合せ框２３の上端面から突出部２３ｄに対して係合することができ、隙間塞ぎ材４０を召合せ框２３に対して気密部２３ｆと略連続状となるようにしつつ固定することができる。また、側面部４２の脚部４４近傍には、２つの爪部４５が形成されている。これら爪部４５は、上連結ブロック３０に対して係合することで、隙間塞ぎ材４０を上連結ブロック３０に対して固定する。
【００３７】
図８には、隙間塞ぎ材４０を取付けた状態の内障子３と外障子４の斜視図を示している。この図に示すように隙間塞ぎ材４０は、内障子３の上框２０と召合せ框２３を連結する上連結ブロック３０の室外面と、外障子４の上框２０と召合せ框２３を連結する上連結ブロック３０の室内面とに、平面部４１が互いに対向するように固定される。互いに対向する平面部４１間は、僅かな隙間が空いているものの、隙間塞ぎ材４０によって内窓１の召合せ部における気密ラインを、召合せ框２３の気密部２３ｆから上枠１０の上ブロック材１０ｅまで略連続状とすることができ、気密性を確保することができる。なお、隙間塞ぎ材４０の平面部４１に、召合せ框２３の気密部２３ｆに設けられる気密材２３ｅと同様の気密材を設けて、より気密性を高めるようにしてもよい。
【００３８】
以上、本発明の実施形態について説明したが、本発明の適用はこの実施形態には限られず、その技術的思想の範囲内において様々に適用されうるものである。まず、召合せ框２３間の気密ラインを構成するため、本実施形態では気密部２３ｆを長手方向に設けているが、その他でも気密性を確保できる構造を有していればよく、例えば図１及び図２に示す外窓５０において召合せ部に用いられている煙返し部の構造を用いてもよい。煙返し部は、内障子３の召合せ框２３の室外面にコ字状部を設け、外障子４の召合せ框２３の室内面にもコ字状部を設け、これらが互い違いとなるように噛み合って気密性を確保するものである。
【００３９】
本実施形態では隙間塞ぎ材４０を内障子３の上連結ブロック３０と外障子４の上連結ブロック３０の両方に設けて、２つの隙間塞ぎ材４０が互いに対向するように配置したが、内障子３側か外障子４側のいずれか一方の上連結ブロック３０にのみ隙間塞ぎ材４０を設けるようにしてもよい。この場合、隙間塞ぎ材４０は平面部４１が対向する障子の上連結ブロック３０に近接対向するように形成される。また、隙間塞ぎ材４０は上連結ブロック３０と略同じ幅を有するように形成しているが、召合せ框２３に設けられた気密ラインと連続状となっていればよいので、召合せ框２３の室外面または室内面の両端部にそれぞれかかるように２部材で構成してもよい。さらに、本実施形態の内窓１は、外窓５０の室内側に設けられるものであるが、外窓５０の構成はどのようなものであってもよいことはいうまでもない。
【図面の簡単な説明】
【００４０】
【図１】本実施形態における内窓を有したサッシ全体の縦断面図である。
【図２】本実施形態における内窓を有したサッシ全体の横断面図である。
【図３】内窓の縦断面図における上部拡大図である。
【図４】内窓の縦断面図における下部拡大図である。
【図５】内窓の横断面図における中央部拡大図である。
【図６】框体の分解斜視図である。
【図７】隙間塞ぎ材の斜視図である。
【図８】隙間塞ぎ材を取付けた内障子と外障子の斜視図である。
【符号の説明】
【００４１】
１    内窓
２    枠体
３    内障子
４    外障子
７    框体
８    ガラス体
１０    上枠
１０ｅ  上ブロック材
１１    下枠
１１ｅ  下ブロック材
１２    縦枠
２０    上框
２１    下框
２２    枠側縦框
２３    召合せ框
２３ｄ  突起部
２３ｅ  気密部
３０    上連結ブロック
３１    基部
３２    上框連結部
３３    縦框連結部
３５    下連結ブロック
３６    基部
３７    下框連結部
３８    縦框連結部
４０    隙間塞ぎ材
４４    脚部
４５    爪部
５０    外窓
【図１】
0004637765.tif 000002
【図２】
0004637765.tif 000003
【図３】
0004637765.tif 000004
【図４】
0004637765.tif 000005
【図５】
0004637765.tif 000006
【図６】
0004637765.tif 000007
【図７】
0004637765.tif 000008
【図８】
0004637765.tif 000009